(57)【要約】      （修正有）【課題】毛筆の筆軸に取り付け、使用者に毛筆の正しい持ち方、特に親指を適切な角度で筆軸へ当てることを促すことのできる、毛筆用持ち方矯正器具を提供する。【解決手段】筆軸２１と固定する固定部１１と、筆軸を持つ手の親指を挿入する環状部１２と、を有し、また固定部に、筆軸を持つ手の人差し指と中指とを当てる場所を示す凹部１１ａ、１１ｂが設けられていることを特徴とする。【選択図】図１
0003195104.tif 000002
【実用新案登録請求の範囲】
【請求項１】
筆軸と固定する固定部と、筆軸を持つ手の親指を挿入する環状部と、を有することを特徴とする、毛筆用持ち方矯正器具。
【請求項２】
前記固定部に、筆軸を持つ手の人差し指と中指とを当てる場所を示す凹部が設けられていることを特徴とする、請求項１に記載の毛筆用持ち方矯正器具。
【請求項３】
前記環状部が、親指を挿入する側が広く形成された、テーパー形状であることを特徴とする、請求項１又は請求項２に記載の毛筆用持ち方矯正器具。
【請求項４】
前記固定部が弾性素材によって形成され、その弾性力によって筆軸を挟み込んで固定することを特徴とする、請求項１から請求項３の何れかに記載の毛筆用持ち方矯正器具。
【請求項５】
前記固定部の側面に開口部が設けられ、その開口部には、前記筆軸を押し込んで開口部を広げるための幅広部が形成されていることを特徴とする、請求項４に記載の毛筆用持ち方矯正器具。
【請求項６】
前記開口部はスリット状に形成され、そのスリット状開口部の両端に前記幅広部が形成されていることを特徴とする、請求項５に記載の毛筆用持ち方矯正器具。
【請求項７】
前記固定部が、肉薄部を有することを特徴とする、請求項４から請求項６の何れかに記載の毛筆用持ち方矯正器具。
【考案の詳細な説明】
【技術分野】
【０００１】
本考案は、毛筆の正しい持ち方を習慣づけるための、持ち方の矯正器具に関するものである。
【背景技術】
【０００２】
日常的にはボールペンや鉛筆などの硬筆の使用が一般的になった現在においても、毛筆と墨を用いて紙の上に文字を書く書道は、より芸術的な立ち位置へと様態を変化しながら、多くの人々に嗜まれている。
【０００３】
毛筆を用いて文字を書く際には、その持ち方が重要となる。一般的な毛筆の持ち方としては、親指と人差し指とで筆軸を挟み込んで他の指を添える単鉤法と、親指と人差し指と中指とで筆軸を挟み込んで他の指を添える双鉤法と、がある。
【０００４】
ここで、毛筆の持ち方において特に重要なのは、親指を筆軸に対してほぼ直角にあてることである。しかし、毛筆の使用に慣れていない初心者などは、個人の癖などが出てしまい、正しい毛筆の持ち方を習慣づけることは容易ではない。
【０００５】
特許文献１には、各指を置く位置を示す凹凸を設け、それを筆軸に巻きつけて固定することによって、毛筆を持つ際の指の位置を矯正する器具が考案されている。
【先行技術文献】
【特許文献】
【０００６】
【特許文献１】実用新案登録第３１７６５０１号公報
【考案の概要】
【考案が解決しようとする課題】
【０００７】
先に述べたように、毛筆の持ち方においては、特に親指と筆軸との角度が重要である。特許文献１に考案される器具においても、親指を当てる位置が凹凸によって示されるが、親指の向きの自由度が高く、親指を正しい角度で筆軸に当てることを使用者に促すには、不十分である。
【０００８】
そこで、本考案では、毛筆の筆軸に取り付け、使用者に毛筆の正しい持ち方、特に親指を適切な角度で筆軸へ当てることを促すことのできる、毛筆用持ち方矯正器具を提供することを課題とする。
【課題を解決するための手段】
【０００９】
上記課題を解決するため、本考案に係る毛筆用持ち方矯正器具は、
筆軸と固定する固定部と、筆軸を持つ手の親指を挿入する環状部と、を有することを特徴とする。
【００１０】
これにより、使用者は、自身の使用する毛筆の筆軸に本考案に係る毛筆用持ち方矯正器具を固定し、筆軸を支える親指の角度を適切な状態にすることができる。
【００１１】
本考案の好ましい形態では、前記固定部に、筆軸を支える人差し指と中指とを当てる場所を示す凹部が設けられていることを特徴とする。
これにより、使用者は、親指以外に筆軸を支える人差し指と中指についても当てるべき位置を把握することができ、より理想的な形態で筆軸を持つことができる。
【００１２】
本考案の好ましい形態では、前記環状部が、親指を挿入する側が広く形成された、テーパー状であることを特徴とする。
このように構成することによって、幼児などの親指が小さい使用者が本考案に係る毛筆用持ち方矯正器具を使用する際にも、親指の角度を適切な状態にすることができる。
【００１３】
本考案の好ましい形態では、前記固定部が弾性素材によって形成され、その弾性力によって筆軸を挟み込んで固定することを特徴とする。
これにより、本考案に係る毛筆用持ち方矯正器具の筆軸への着脱を容易に行うことができ、毛筆を洗浄する際や、他の毛筆へと持ち替える際の利便性が向上する。
【００１４】
本考案の好ましい形態では、前記固定部の側面に開口部が設けられ、その開口部には、前記筆軸を押し込んで開口部を広げるための幅広部が形成されていることを特徴とする。
これにより、本考案に係る毛筆用持ち方矯正器具の筆軸への着脱を行う際に、前記開口部より簡単に筆軸を通すことができる。
【００１５】
本考案の好ましい形態では、前記開口部はスリット状に形成され、そのスリット状開口部の両端に前記幅広部が形成されていることを特徴とする。
これにより、スリット状開口部の両端のどちらからでも前記筆軸を押し込むことができ、本考案に係る毛筆用持ち方矯正器具の筆軸への着脱をより簡単にすることができる。
【００１６】
本考案の好ましい形態では、前記固定部が、肉薄部を有することを特徴とする。
これにより、本考案に係る毛筆用持ち方矯正器具の筆軸への着脱を行う際の、固定部の開閉を容易にすることができる。
【考案の効果】
【００１７】
本考案によれば、使用者による毛筆の適切な状態での保持を促すことができる。
【図面の簡単な説明】
【００１８】
【図１】本考案の一実施形態に係る毛筆用持ち方矯正器具の斜視図である。
【図２】本考案の一実施形態に係る毛筆用持ち方矯正器具の斜視図である。
【図３】本考案の一実施形態に係る毛筆用持ち方矯正器具の側面図である。
【図４】本考案の一実施形態に係る毛筆用持ち方矯正器具の使用状態を表す図である。
【考案を実施するための形態】
【００１９】
以下、図面を参照し、本考案の一実施形態について詳細に説明する。
図１、及び図２は、本実施形態に係る毛筆用持ち方矯正器具１の斜視図である。
また、図３は、本実施形態に係る毛筆用持ち方矯正器具１の側面図である。
【００２０】
本実施形態に係る毛筆用持ち方矯正器具１は、毛筆２の筆軸２１に固定するための固定部１１と、使用者が親指を挿入するための環状部１２と、を備えている。
【００２１】
固定部１１は、概略円筒形に構成されており、その側面の、環状部１２が設けられている位置のおおよそ反対側の位置に、使用者が人差し指を添えるための人差し指用凹部１１ａと中指を添えるための中指用凹部１１ｂとを有する。
【００２２】
また、固定部１１は、その側面の一部が切り開かれたスリット状の開口部１１ｄと、開口部１１ｄのおおよそ反対側の側面に位置する肉薄部１１ｃと、を有し、
開口部１１ｄの両側の断面と、固定部１１の上面及び底面とが接する４つの角部分には面取り処理がなされ、斜断部１１ｅが形成されている。これにより、開口部１１ｄの上下それぞれの端部が、中央部と比較して幅広になっている。
【００２３】
固定部１１は、ゴムや軟質樹脂などの、弾性素材によって形成されており、その弾性力によって筆軸２１を挟み込み、固定する。
このように、弾性力によって筆軸２１を保持する構成とすることにより、筆軸２１の直径が異なる種々の毛筆２に対して、毛筆用持ち方矯正器具１を装着することができる。
【００２４】
また、固定部１１の弾性力の大きさが筆軸２１を固定するのに不十分である場合には、固定部１１の外側や内側、あるいはその内部に、バネなどの弾性体を別途設けてもよい。
【００２５】
環状部１２は、固定部１１の側面部に設けられ、固定部１１ｃの取り付けられた筆軸２１と直交する形態で、親指用挿入部１２ａを有し、
親指用挿入部１２は、親指を挿入する側の内径が大きく、その反対側に向けて内径が小さくなっていくような、テーパー状に形成されている。
【００２６】
毛筆用持ち方矯正器具１を筆軸２１に取り付ける際には、斜断部１１ｅを筆軸２１の側面に押し当て、開口部１１ｄを押し広げて、固定部１１の内部に、筆軸２１を固定する。
この際に、斜断部１１ｅを設けて開口部１１ｄの上下端部分を中間部ａよりも幅広な幅広部ｂにしておくこと、また、開口部１１ｄのおおよそ反対側の側面に肉薄部１１ｃを設けておくことにより、開口部１１ｄを広げやすくすることができる。
【００２７】
このようにして毛筆用持ち方矯正器具１を筆軸２１に取り付けたのち、図４に使用状態を示すように、使用者は、毛筆２を持つ手の親指を親指用挿入部１２ａに挿入し、人差し指を人差し指用凹部１１ａに、中指を中指用凹部１１ｂにそれぞれ添えて、毛筆２を持つ。
【００２８】
このように、固定部１１に対して直交して設けられた親指用挿入部１２ａに親指を挿入することにより、親指が筆軸に対してほぼ直交した形態での毛筆２の保持を、使用者に促すことができる。
また、人差し指用凹部１１ａと中指用凹部１１ｂによって、人差し指と中指を添える位置も、使用者に示すことができる。
【００２９】
そして、親指用挿入部１２ａを、前述したようなテーパー状に形成することによって、幼児などの親指が小さな使用者が毛筆用持ち方矯正器具１を使用する際にも、親指用挿入部１２ａに親指が入り込みすぎることを防ぎ、筆軸２１に対する親指の適切な角度を保つことができる。
【００３０】
使用者が毛筆２の使用を終えて洗浄する際や、他の毛筆へと持ち替える際には、固定部１１を開口部１１ｄと反対方向に引く、もしくは開口部１１ｄの両側に直接力を加えることで、開口部１１ｄを押し広げ、筆軸２１から固定部１１を取り外す。
固定部１１の弾性力によって筆軸２１へと固定する構成とすることにより、このように、毛筆用持ち方矯正器具１を、毛筆２より簡単に取り外すことができる。
【００３１】
このように、本実施形態に係る毛筆用持ち方矯正器具１を毛筆２の筆軸に取り付けることによって、使用者へと、毛筆を持つ際の親指の筆軸に対する角度や、人差し指及び中指を添える位置を示すことができる。
【００３２】
また、固定部１１の弾性力によって筆軸２１を保持する構成とすることによって、毛筆用持ち方矯正器具１の、毛筆２への簡単な着脱や直径の異なる種々の毛筆への取り付けを行うことができる。
【符号の説明】
【００３３】
１  毛筆用持ち方矯正器具
１１  固定部
１１ａ  人差し指用凹部
１１ｂ  中指用凹部
１１ｃ  肉薄部
１１ｄ  開口部
１１ｅ  斜断部
１２  環状部
１２ａ  親指用挿入部
２  毛筆
２１  筆軸
ａ  中間部
ｂ  幅広部
【図１】
0003195104.tif 000003
【図２】
0003195104.tif 000004
【図３】
0003195104.tif 000005
【図４】
0003195104.tif 000006